(57)【要約】【課題】台紙の下面の周縁によって遊戯者が怪我をすることのない、安全なジグソーパズルの提供。【解決手段】上面の周縁に形成した枠１１により、その内側に浅底のピース収容部１２を囲繞した平面方形の厚紙１３の下面に、柔軟な素材からなる裏当て１４を両者の外縁を一致させて重合貼着してなる台紙１５と、上記ピース収容部１２内に嵌合して所定の絵柄を完成させる、複数のパズルピース１６，１６，…とからなるジグソーパズル。【選択図】  図２
0003128007.tif 000002
【実用新案登録請求の範囲】
【請求項１】
上面の周縁に形成した枠により、その内側に浅底のピース収容部を囲繞した平面方形の厚紙の下面に、柔軟な素材からなる裏当てを、互いの外縁を一致させて重合貼着してなる台紙と、上記ピース収容部内に嵌合して所定の絵柄を完成させる、複数のパズルピースとからなることを特徴とするジグソーパズル。
【請求項２】
上記裏当てが、上記厚紙の下面の中央部分を残してその周縁に枠状に貼着されていることを特徴とする請求項１記載のジグソーパズル。
【請求項３】
上記台紙の裏当てを打ち抜き加工することにより、複数の下面側パズルピースと、これらを受入嵌合させるピース収容部を形成していることを特徴とする請求項１記載のジグソーパズル。
【請求項４】
上記下面側パズルピースが、略正方形をなすとともに、その４辺には先端の幅を広くし基端の幅を狭くした鳩尾形の凸部と、開口部の幅を狭くし奥部の幅を広くした、上記凸部に嵌合する凹部を交互に形成してあることを特徴とする請求項３記載のジグソーパズル。
【請求項５】
上記下面側パズルピースが、補助ピースを受入嵌合する貫通孔を開設していることを特徴とする請求項３または４記載のジグソーパズル。
【請求項６】
上記裏当てがスポンジ素材からなることを特徴とする請求項１，２，３，４または５記載のジグソーパズル。
【請求項７】
上記裏当てがゴム素材からなることを特徴とする請求項１，２，３，４または５記載のジグソーパズル。
【考案の詳細な説明】
【技術分野】
【０００１】
本考案は、ジグソーパズルの改良に関する。
【背景技術】
【０００２】
幼児から低学年の学童向けのジグソーパズルとして、図９に示したように、上面の周縁に肉厚に形成した枠１により浅底のピース収容部２を囲繞した厚紙製の台紙３と、上記ピース収容部２内に所定の配置で嵌合させることにより元の絵柄を完成することができる複数のパズルピース４，４，…からなるものがある（たとえば特許文献１，２）。
【０００３】
遊戯者はバラバラに分離した上記各パズルピース４を上記台紙３上のピース収容部２内に嵌合配置して元の絵柄を再現して楽しむことができる。
【特許文献１】実開昭６２−１９３２７７号公報
【特許文献２】実用新案登録第３１１８１５２号公報
【考案の開示】
【考案が解決しようとする課題】
【０００４】
しかし、上記の台紙３は、予め絵柄を印刷した厚紙製の原板に上面側から下面側に向けてカッターを入れて裁断することで得られるので、その裁断の際、該台紙３の下面（図９では下側）の周縁７が外方に突出した鋭利な形状になってしまい、これにより遊戯者が手を傷つけてしまうなど怪我の原因となる場合がある。
【０００５】
そこで、本発明は、台紙の下面の周縁によって、遊戯者が怪我をすることのない、安全なジグソーパズルの提供を課題とする。
【課題を解決するための手段】
【０００６】
請求項１記載の本考案は、上面の周縁に形成した枠１１により、その内側に浅底のピース収容部１２を囲繞した平面方形の厚紙１３の下面に、柔軟な素材からなる裏当て１４を両者の外縁を一致させて重合貼着してなる台紙１５と、上記ピース収容部１２内に嵌合して所定の絵柄を完成させる、複数のパズルピース１６，１６，…とからなるジグソーパズルである。
【０００７】
請求項２記載の本考案は、上記裏当て１４が、上記厚紙１３の下面の中央部分を残してその周縁に枠状に貼着されている請求項１記載のジグソーパズルである。
【０００８】
請求項３記載の本考案は、上記台紙１５の裏当て１４を打ち抜き加工することにより、複数の下面側パズルピース１７，１７，…，２２，２２，…と、これらを受入嵌合させるピース収容部１２’を形成している請求項１記載のジグソーパズルである。
【０００９】
請求項４記載の本考案は、上記下面側パズルピース１７，１７，…，２２，２２，…が、略正方形をなすとともに、その４辺には先端１９ａ，２５ａの幅を広くし基端１９ｂ，２５ｂの幅を狭くした鳩尾形の凸部１９，２５と、開口部２０ａ，２６ａの幅を狭くし奥部２０ｂ，２６ｂの幅を広くした、上記凸部１９，２５に嵌合する凹部２０，２６を交互に形成してある請求項３記載のジグソーパズルである。
【００１０】
請求項５記載の本考案は、上記下面側パズルピース２２，２２，…が、補助ピース２４，２４，…を受入嵌合する貫通孔２３，２３，…を開設している請求項３または４記載のジグソーパズルである。
【００１１】
請求項６記載の本考案は、上記裏当て１４がスポンジ素材からなる請求項１，２，３，４または５記載のジグソーパズルである。
【００１２】
請求項７記載の本考案は、上記裏当て１４がゴム素材からなる請求項１，２，３，４または５記載のジグソーパズルである。
【考案の効果】
【００１３】
本考案によれば、台紙の下面の周縁によって遊戯者が怪我をすることが防止される。
【考案を実施するための最良の形態】
【００１４】
上面の周縁に形成した枠１１により、その内側に浅底のピース収容部１２を囲繞した平面方形の厚紙１３の下面に、柔軟な素材からなる裏当て１４を互いの外縁を一致させて重合貼着してなる台紙１５と、上記ピース収容部１２内に嵌合して所定の絵柄を完成させる、複数のパズルピース１６，１６，…とからなるジグソーパズル。
【実施例１】
【００１５】
ａは本考案に係るジグソーパズルである。
これは、上面の周縁に肉厚に形成した枠１１により、その内側に浅底のピース収容部１２を囲繞した平面長方形の厚紙１３の下面全面に、ＥＶＡ（Ethylene-Vinyl Acetate； エチレン-酢酸ビニル共重合樹脂）やウレタン等の柔軟で弾力性のあるスポンジ素材の裏当て１４を、互いの外縁を一致させた状態にして、すなわち、厚紙１３の下面周縁の角が出ない状態にして重合貼着してなる台紙１５と、上記ピース収容部１２内に嵌合して所定の絵柄を完成させる、複数のパズルピース１６，１６，…とからなる。
【００１６】
上記ジグソーパズルａは、次のようにして製作される。
まず、上層１３ａと下層１３ｂとを重合してなる所要厚さの厚紙１３の上面に所要の絵柄を印刷するとともに、その厚紙の下面に、スポンジ素材の裏当て１４を重合貼着して原板を製作する。
なお、上記厚紙１３の上層１３ａと下層１３ｂとは、後の裁断によって上記枠１１となる周縁部分（図２中符号１３ｃで示した部分）においては接着されているが、その内側の上記ピース収容部１２となる部分（同図中符号１３ｄで示した部分）は接着されていない。
【００１７】
続いてこの原板を所望の寸法に裁断して上記台紙１５を得る。
この裁断は、その上面側からカッターを入れることによって行われるが、上記原板の下面には上記の通り、柔軟で弾力性のある裏当て１４が貼着されているので、その裁断によっても下面側の周縁が、怪我の原因となるような鋭利なものになることはない。
【００１８】
そして、さらに、上記台紙１３の上面側から、その周縁の、上記枠１１となる部分を残して、かつ、上記厚紙の上層１３ａのみを、すなわち、該厚紙の下層１３ｂまでカッターが達しないよう打ち抜き加工をすることにより、枠１２に囲繞されるピース収容部１２を形成し、また同時に、該ピース収容部１２に嵌合するパズルピース１６，１６，…を形成する。
【００１９】
上記裏当て１４の素材は、スポンジ素材に限らず柔軟で弾力性のあるものであればよく、たとえばゴム素材を採用することもできる。
【００２０】
また、裏当て１４は台紙１５の下面の全面に貼着しなくとも、中央部分を残してその周縁にのみ枠状に貼着してもよい（図示しない）。
【００２１】
このように、本実施例のジグソーパズルａは、その台紙１５の下面の少なくとも周縁に裏当て１４を貼着してあるから、その下面周縁により遊戯者が怪我をすることが防止される。
【実施例２】
【００２２】
本実施例のジグソーパズルｂは、実施例１のジグソーパズルａと比べると、上面だけでなく下面の裏当て１４にもピース収容部１２’を形成し、これに嵌合する６片の下面側パズルピース１７，１７，…を有している点のみが異なるので、同一の箇所には同一の符号を付しその説明を省略する。
【００２３】
下面の裏当て１４は、その周縁の枠１８の部分において上記台紙１３に貼着されており、上記ピース収容部１２’と下面側パズルピース１７，１７，…は、上記台紙１３に対して貼着されていない中央部分を打ち抜き加工することにより形成される。
【００２４】
上記各下面側パズルピース１７，１７，…は、それぞれにサイコロの目を表した略正方形をなすもので、その４辺には先端１９ａの幅を広くし基端１９ｂの幅を狭くした鳩尾形の凸部１９と、開口部２０ａの幅を狭くし奥部２０ｂの幅を広くした、上記凸部１９に嵌合する凹部２０を交互に形成してある。
各下面側パズルピース１７，１７，…は、互いの凸部１９と凹部２０を噛合させることにより、立方体状の筐体２１などの、所望の立体形状のものを組み立てることができる（図６）。
この筐体２１には、バラバラに分離した上面のパズルピース１６，１６，…を収納することもできる。
また、各下面側パズルピース１７，１７，…に１から６までのサイコロの目を表しているので、組み立てた筐体２０をサイコロとすることができる（図６）。
【００２５】
本実施例のジグソーパズルｂも、その台紙１５の下面に裏当て１４を貼着してあるから、その下面周縁により遊戯者が怪我をすることが防止される。
【実施例３】
【００２６】
本実施例のジグソーパズルｃは、各下面側パズルピース２２，２２，…に、貫通孔２３，２３，…を開設し、そこに嵌合する補助ピース２４，２４，…を有している点において、実施例２のジグソーパズルｂと異なるので、同一の箇所には同一の符号を付しその下面側パズルピース２２についてのみ説明する。
【００２７】
下面側パズルピース２２，２２，…は、略正方形をなしており、その４辺には先端２５ａの幅を広くし基端２５ｂの幅を狭くした鳩尾形の凸部２５と、開口部２６ａの幅を狭くし奥部２６ｂの幅を広くした、上記凸部２５に嵌合する凹部２６を交互に形成してある。
貫通孔２３，２３，…は、打ち抜き加工により形成される丸形、三角形、四角形、五角形、星形、雲形等の任意の形状のもので、そこに受入嵌合される補助ピース２４は、該貫通孔２３，”３，…の打ち抜き加工の際に生じる打ち抜き片をもってあてることができる。
その各下面側パズルピース２２，２２，…とその貫通孔２３，２３，…に嵌合する補助ピース２４とは、両者を用いて、形合わせ遊びをすることができるものである。
【００２８】
上記の下面側パズルピース２２，２２，…も、実施例２のものと同様に、互いの凸部２５と凹部２６とを噛合させることにより、立方体状の筐体２７等を組み立てることができる。
その組み立てられた筐体２７は、上記補助ピース２４を取り外して貫通孔２３，２３，…を開口させることができる。したがって、この筐体２７には、その貫通孔２３，２３，…を通じてバラバラに分離した上面のパズルピース１６，１６，…を収納することもできる。
【００２９】
本実施例のジグソーパズルＣも、その台紙１５の下面に裏当て１４を貼着してあるから、その下面周縁により遊戯者が怪我をすることが防止される。
【図面の簡単な説明】
【００３０】
【図１】本考案の実施例１に係るジグソーパズルの斜視図である。
【図２】そのジグソーパズルの要部拡大縦断面図である。
【図３】本考案の実施例２に係るジグソーパズルの底面図である。
【図４】そのジグソーパズルの要部拡大縦断面図である。
【図５】そのジグソーパズルの下面側パズルピースの斜視図である。
【図６】その下面側パズルピースにより組み立てた筐体の斜視図である。
【図７】本考案の実施例３に係るジグソーパズルの底面図である。
【図８】そのジグソーパズルの下面側パズルピースにより組み立てた筐体の斜視図である。
【図９】従来のジグソーパズルの縦断面図である。
【符号の説明】
【００３１】
ａ，ｂ，ｃ  ジグソーパズル
１１  枠
１２，１２’  ピース収容部
１３  厚紙
１４  裏当て
１５  台紙
１６  パズルピース
１７  下面側パズルピース
１９，２５  凸部
１９ａ，２５ａ  先端
１９ｂ，２５ｂ  基端
２０，２６  凹部
２０ａ，２６ａ  開口部
２０ｂ，２６ｂ  奥部
２２  下面側パズルピース
２３  貫通孔
２４  補助ピース
【図１】
0003128007.tif 000003
【図２】
0003128007.tif 000004
【図３】
0003128007.tif 000005
【図４】
0003128007.tif 000006
【図５】
0003128007.tif 000007
【図６】
0003128007.tif 000008
【図７】
0003128007.tif 000009
【図８】
0003128007.tif 000010
【図９】
0003128007.tif 000011